(57)【特許請求の範囲】
【請求項１】
呼セッション制御サーバ装置が、第１セッション開始プロトコル信号を受信した場合、ポリシー及び課金ルールサーバ装置に対して、該第１セッション開始プロトコル信号に含まれるメディアに関する情報に対応するサービス品質情報を通知する工程と、
前記ポリシー及び課金ルールサーバ装置が、前記サービス品質情報に基づいて、コアネットワークに対して、ベアラ設定指示信号を送信する工程と、
前記呼セッション制御サーバ装置が、第２セッション開始プロトコル信号を受信した場合で、かつ、前記第１セッション開始プロトコル信号に含まれるメディアに関する情報及び該第２セッション開始プロトコル信号に含まれるメディアに関する情報が同一である場合、前記ポリシー及び課金ルールサーバ装置に対して、該第２セッション開始プロトコル信号に含まれる該メディアに関する情報に対応するサービス品質情報を通知しない工程とを有することを特徴とする移動通信方法。
【請求項２】
前記メディアに関する情報は、コーデック情報と、ビットレート情報と、発側アドレス情報と、着側アドレス情報とを含むことを特徴とする請求項１記載の移動通信方法。
【請求項３】
第１セッション開始プロトコル信号が受信された場合、ポリシー及び課金ルールサーバ装置に対して、該第１セッション開始プロトコル信号に含まれるメディアに関する情報に対応するサービス品質情報を通知するように構成されている送信部を具備しており、
第２セッション開始プロトコル信号が受信された場合で、かつ、前記第１セッション開始プロトコル信号に含まれるメディアに関する情報及び該第２セッション開始プロトコル信号に含まれるメディアに関する情報が同一である場合、前記送信部は、前記ポリシー及び課金ルールサーバ装置に対して、該第２セッション開始プロトコル信号に含まれる該メディアに関する情報に対応するサービス品質情報を通知しないように構成されていることを特徴とする呼セッション制御サーバ装置。
【請求項４】
前記メディアに関する情報は、コーデック情報と、ビットレート情報と、発側アドレス情報と、着側アドレス情報とを含むことを特徴とする請求項３記載の呼セッション制御サーバ装置。
【発明の詳細な説明】
【技術分野】
【０００１】
本発明は、移動通信方法及び呼セッション制御サーバ装置に関する。
【背景技術】
【０００２】
従来の３ＧＰＰで規定されている移動通信システムでは、非特許文献１に示すように、Ｐ-ＣＳＣＦ（Ｐｒｉｍａｒｙ-Ｃａｌｌ  Ｓｅｓｓｉｏｎ  Ｃｏｎｔｒｏｌ  Ｆｕｎｃｔｉｏｎ、呼セッション制御サーバ装置）は、ＳＤＰ（Ｓｅｓｓｉｏｎ  Ｄｅｓｃｒｉｐｔｉｏｎ  Ｐｒｏｔｏｃｏｌ）を含むＳＩＰ（Ｓｅｓｓｉｏｎ  Ｉｎｉｔｉａｔｉｏｎ  Ｐｒｏｔｏｃｏｌ、セッション開始プロトコル）信号を受信すると、ＩＭＳ（ＩＰ  Ｍｕｌｔｉｍｅｄｉａ  Ｓｕｂｓｙｓｔｅｍ）セッションの確立や帯域確保のために、ＰＣＲＦ（Ｐｏｌｉｃｙ  ａｎｄ  Ｃｈａｒｇｉｎｇ  Ｒｕｌｅｓ  Ｆｕｎｃｔｉｏｎ、ポリシー及び課金ルールサーバ装置）に対して、かかるＳＤＰに対応するＱｏＳ（Ｑｕａｌｉｔｙ  ｏｆ  Ｓｅｒｖｉｃｅ）を一律に通知するように構成されている。
【０００３】
以下、図４を参照して、かかる移動通信システムの動作について説明する。
【０００４】
図４に示すように、Ｐ-ＣＳＣＦは、ステップＳ１０１Ａにおいて、ＵＥ（Ｕｓｅｒ  Ｅｑｕｉｐｍｅｎｔ、移動局）からＳＤＰ-Ａを含むＳＩＰ信号＃１を受信すると、ステップＳ１０２において、ＰＣＲＦに対して、ＳＤＰ-Ａに対応するＱｏＳを含むＱｏＳ設定要求信号（例えば、「Ｄｉａｍｅｔｅｒ_ＡＡＲ」）を送信する。
【０００５】
ＰＣＲＦは、ステップＳ１０３Ａにおいて、ＳＤＰ-Ａに対応するＱｏＳに基づいて、ＥＰＣ（Ｅｖｏｌｖｅｄ  Ｐａｃｋｅｔ  Ｃｏｒｅ、コアネットワーク）、具体的には、Ｐ-ＧＷ（ＰＤＮ-Ｇａｔｅｗａｙ、パケットデータネットワークゲートウェイ装置）に対して、ＳＤＰ-Ａに対応するＱｏＳを有するＵＥ用のベアラを設定するように指示するベアラ設定指示信号＃１を送信し、ステップＳ１０３Ｂにおいて、Ｐ-ＣＳＣＦに対して、ＱｏＳ設定応答信号（例えば、「Ｄｉａｍｅｔｅｒ_ＡＡＡ」）を送信する。
【０００６】
かかるベアラ設定指示信号＃１は、Ｐ-ＧＷとＳ-ＧＷ（Ｓｅｒｖｉｎｇ-Ｇａｔｅｗａｙ、サービングゲートウェイ装置）とＭＭＥ（Ｍｏｂｉｌｉｔｙ  Ｍａｎａｇｅｍｅｎｔ  Ｅｎｔｉｔｙ、移動管理ノード）とを介して、ｅＮＢ（無線基地局）まで送信され、ＵＥとＰ-ＧＷとの間でユーザプレーンデータ転送用ベアラが設定される。
【０００７】
ステップＳ１０４において、Ｐ-ＧＷは、ＰＣＲＦに対して、ベアラ設定応答信号＃１を送信する。
【０００８】
ステップＳ１０１Ｂにおいて、Ｐ-ＣＳＣＦは、ＵＥに対して、ＳＩＰ信号＃１に対する応答信号を送信する。
【０００９】
その後、Ｐ-ＣＳＣＦは、ステップＳ２０１において、ＵＥからＳＤＰ-Ｂを含むＳＩＰ信号＃２を受信すると、ステップＳ２０２において、ＰＣＲＦに対して、ＳＤＰ-Ｂに対応するＱｏＳを含むＱｏＳ設定要求信号（例えば、「Ｄｉａｍｅｔｅｒ_ＡＡＲ」）を送信する。
【００１０】
ＰＣＲＦは、ステップＳ２０３Ａにおいて、ＳＤＰ-Ｂに対応するＱｏＳに基づいて、ＥＰＣ、具体的には、Ｐ-ＧＷに対して、ＳＤＰ-Ｂに対応するＱｏＳを有するＵＥ用のベアラを設定するように指示するベアラ設定指示信号＃２を送信し、ステップＳ２０３Ｂにおいて、Ｐ-ＣＳＣＦに対して、ＱｏＳ設定応答信号（例えば、「Ｄｉａｍｅｔｅｒ_ＡＡＡ」）を送信する。
【００１１】
かかるベアラ設定指示信号＃２は、Ｐ-ＧＷとＳ-ＧＷとＭＭＥとを介して、ｅＮＢまで送信され、ＵＥとＰ-ＧＷとの間でユーザプレーンデータ転送用ベアラが設定される。
【００１２】
ステップＳ２０４において、Ｐ-ＧＷは、ＰＣＲＦに対して、ベアラ設定応答信号＃２を送信する。
【００１３】
ステップＳ２０１Ｂにおいて、Ｐ-ＣＳＣＦは、ＵＥに対して、ＳＩＰ信号＃２に対する応答信号を送信する。
【先行技術文献】
【非特許文献】
【００１４】
【非特許文献１】３ＧＰＰ  ＴＳ２９.２１４
【発明の概要】
【発明が解決しようとする課題】
【００１５】
上述の移動通信システムの動作では、ＳＤＰ-Ａ及びＳＤＰ-Ｂが同じ内容である場合であっても、Ｐ-ＣＳＣＦは、ステップ２０２において、ＰＣＲＦに対して、ＳＤＰ-Ｂに対応するＱｏＳを含むＱｏＳ設定要求信号（例えば、「Ｄｉａｍｅｔｅｒ_ＡＡＲ」）を送信し、ＰＣＲＦは、ステップ２０３Ａにおいて、ＳＤＰ-Ｂに対応するＱｏＳを有するＵＥ用のベアラを設定するように指示するベアラ設定指示信号＃２を送信している。
【００１６】
ここで、ＳＤＰ-Ａ及びＳＤＰ-Ｂが同じ内容であるため、Ｐ-ＧＷ、Ｓ-ＧＷ、ＭＭＥ及びｅＮＢは、かかるベアラ設定指示信号＃２を受信した場合には、ＵＥ用のベアラとして設定されているＱｏＳを同一のＱｏＳに更新するだけであること（或いは、何の処理も行わないこと）が想定される。
【００１７】
すなわち、ＳＤＰ-Ａ及びＳＤＰ-Ｂが同じ内容である場合には、ステップ２０２におけるＱｏＳ設定応答信号（例えば、「Ｄｉａｍｅｔｅｒ_ＡＡＲ」）の送信は、無駄な処理を引き起こすものになり、結果的に、ＵＥ用のベアラを確立するまでの時間を長くしてしまうという問題点があった。
【００１８】
そこで、本発明は、上述の課題に鑑みてなされたものであり、無駄な信号の送信を回避し、ＵＥ用のベアラを確立するまでの時間を短くすることができる移動通信方法及び呼セッション制御サーバ装置を提供することを目的とする。
【課題を解決するための手段】
【００１９】
本発明の第１の特徴は、移動通信方法であって、呼セッション制御サーバ装置が、第１セッション開始プロトコル信号を受信した場合、ポリシー及び課金ルールサーバ装置に対して、該第１セッション開始プロトコル信号に含まれるメディアに関する情報に対応するサービス品質情報を通知する工程と、前記ポリシー及び課金ルールサーバ装置が、前記サービス品質情報に基づいて、コアネットワークに対して、ベアラ設定指示信号を送信する工程と、前記呼セッション制御サーバ装置が、第２セッション開始プロトコル信号を受信した場合で、かつ、前記第１セッション開始プロトコル信号に含まれるメディアに関する情報及び該第２セッション開始プロトコル信号に含まれるメディアに関する情報が同一である場合、前記ポリシー及び課金ルールサーバ装置に対して、該第２セッション開始プロトコル信号に含まれる該メディアに関する情報に対応するサービス品質情報を通知しない工程とを有することを要旨とする。
【００２０】
本発明の第２の特徴は、呼セッション制御サーバ装置であって、第１セッション開始プロトコル信号が受信された場合、ポリシー及び課金ルールサーバ装置に対して、該第１セッション開始プロトコル信号に含まれるメディアに関する情報に対応するサービス品質情報を通知するように構成されている送信部を具備しており、第２セッション開始プロトコル信号が受信された場合で、かつ、前記第１セッション開始プロトコル信号に含まれるメディアに関する情報及び該第２セッション開始プロトコル信号に含まれるメディアに関する情報が同一である場合、前記送信部は、前記ポリシー及び課金ルールサーバ装置に対して、該第２セッション開始プロトコル信号に含まれる該メディアに関する情報に対応するサービス品質情報を通知しないように構成されていることを要旨とする。
【発明の効果】
【００２１】
以上説明したように、本発明によれば、無駄な信号の送信を回避し、ＵＥ用のベアラを確立するまでの時間を短くすることができる移動通信方法及び呼セッション制御サーバ装置を提供することができる。
【図面の簡単な説明】
【００２２】
【図１】本発明の第１の実施形態に係る移動通信システムの全体構成図である。
【図２】本発明の第１の実施形態に係るＰ-ＣＳＣＦの機能ブロック図である。
【図３】本発明の第１の実施形態に係る移動通信システムの動作を示すシーケンス図である。
【図４】従来の移動通信システムの動作を示すシーケンス図である。
【発明を実施するための形態】
【００２３】
（本発明の第１の実施形態に係る移動通信システム）
図１乃至図３を参照して、本発明の第１の実施形態に係る移動通信システムについて説明する。
【００２４】
図１に示すように、本実施形態に係る移動通信システムは、Ｐ-ＣＳＣＦと、ＰＣＲＦと、ＥＰＣと、ｅＮＢとを具備している。また、ＥＰＣ内には、Ｐ-ＧＷと、Ｓ-ＧＷと、ＭＭＥとが設けられている。
【００２５】
ここで、ＰＣＲＦは、ＱｏＳ制御処理や、ＰＤＮ（Ｐａｃｋｅｔ  Ｄａｔａ  Ｎｅｔｗｏｒｋ、パケットデータネットワーク）接続時の認証処理/ユーザ管理処理を行うように構成されている。
【００２６】
Ｐ-ＧＷは、ＰＤＮとの接続処理や、課金処理や、ユーザパケットのルーティング/転送処理を行うように構成されており、Ｓ-ＧＷは、ユーザパケットのルーティング/転送処理を行うように構成されている。
【００２７】
ＭＭＥは、加入者情報を管理しており、パケット通信用のセッション（接続）の設定処理/開放処理や、ハンドオーバ（無線基地局の切り替え）の制御処理を行うように構成されている。
【００２８】
Ｐ-ＣＳＣＦは、ＩＭＳ端末であるＵＥ及びＩＭＳの接続装置であり、認証処理を行うように構成されている。
【００２９】
図２に示すように、Ｐ-ＣＳＣＦは、受信部１１と、判定部１２と、管理部１２Ａと、送信部１３とを具備している。
【００３０】
受信部１１は、ＵＥやＰＣＲＦ等から各種信号を受信するように構成されている。例えば、受信部１１は、ＵＥからＳＩＰ信号を受信したり、ＰＣＲＦからＱｏＳ設定応答信号（例えば、「Ｄｉａｍｅｔｅｒ_ＡＡＡ」）を受信したりするように構成されている。
【００３１】
判定部１２は、ＵＥから受信したセッション＃１に係るＳＩＰ信号＃２に含まれるＳＤＰ-Ｂが、管理部１２Ａによって管理されているセッション＃１に係るＳＩＰ信号＃１に含まれていたＳＤＰ-Ａと同じであるか否かについて判定するように構成されている。
【００３２】
具体的には、管理部１２Ａは、特定セッションと、かかる特定セッションに係る最新のＳＩＰ信号に含まれていたＳＤＰとを関連付けて管理しておくように構成されている。
【００３３】
送信部１３は、ＵＥやＰＣＲＦ等に対して各種信号を送信するように構成されている。例えば、送信部１３は、ＰＣＲＦに対して、ＱｏＳ設定要求信号（例えば、「Ｄｉａｍｅｔｅｒ_ＡＡＲ」）を送信したり、ＵＥに対してＳＩＰ信号に対する応答信号を送信したりするように構成されている。
【００３４】
具体的には、受信部１１が、特定セッション＃１に係るＳＩＰ信号＃１を受信した場合で、かつ、判定部１２が、かかるＳＩＰ信号＃１に含まれるＳＤＰ-Ａが管理部１２Ａによって管理されている特定セッション＃１に係るＳＩＰ信号＃０に含まれていたＳＤＰ-０と異なると判定した場合、送信部１３は、ＰＣＲＦに対して、ＳＩＰ信号＃１に含まれるＳＤＰ-Ａに対応するＱｏＳを通知するように構成されている。
【００３５】
或いは、受信部１１が、特定セッション＃１に係るＳＩＰ信号＃１を受信した場合で、かつ、判定部１２が、かかるＳＩＰ信号＃１に含まれるＳＤＰ-Ａが管理部１２Ａによって特定セッション＃１に係るＳＩＰ信号が管理されていないと判定した場合、送信部１３は、ＰＣＲＦに対して、ＳＩＰ信号＃１に含まれるＳＤＰ-Ａに対応するＱｏＳを通知するように構成されている。
【００３６】
一方、受信部１１が、特定セッション＃１に係るＳＩＰ信号＃２を受信した場合で、かつ、判定部１２が、かかるＳＩＰ信号＃２に含まれるＳＤＰ-Ｂが管理部１２Ａによって管理されている特定セッション＃１に係るＳＩＰ信号＃１に含まれていたＳＤＰ-Ａと同じであると判定した場合、送信部１３は、ＰＣＲＦに対して、ＳＩＰ信号＃１に含まれるＳＤＰ-Ｂに対応するＱｏＳを通知しないように構成されている。
【００３７】
以下、図３を参照して、本実施形態に係る移動通信システムの動作の一例について説明する。
【００３８】
図３に示すように、Ｐ-ＣＳＣＦは、ステップＳ１００１Ａにおいて、ＵＥからＳＤＰ-Ａを含むセッション＃１に係るＳＩＰ信号＃１を受信すると、ステップＳ１００２において、セッション＃１に係る他のＳＩＰ信号が管理されていないと判定すると、ステップＳ１００３において、ＰＣＲＦに対して、ＳＤＰ-Ａに対応するＱｏＳを含むＱｏＳ設定要求信号（例えば、「Ｄｉａｍｅｔｅｒ_ＡＡＲ」）を送信する。
【００３９】
ＰＣＲＦは、ステップＳ１００４Ａにおいて、ＳＤＰ-Ａに対応するＱｏＳに基づいて、ＥＰＣ、具体的には、Ｐ-ＧＷに対して、ＳＤＰ-Ａに対応するＱｏＳを有するＵＥ用のベアラを設定するように指示するベアラ設定指示信号＃１を送信し、ステップＳ１００４Ｂにおいて、Ｐ-ＣＳＣＦに対して、ＱｏＳ設定応答信号（例えば、「Ｄｉａｍｅｔｅｒ_ＡＡＡ」）を送信する。
【００４０】
かかるベアラ設定指示信号＃１は、Ｐ-ＧＷとＳ-ＧＷとＭＭＥとを介して、ｅＮＢまで送信され、ＵＥとＰ-ＧＷとの間でユーザプレーンデータ転送用ベアラが設定される。
【００４１】
ステップＳ１００５において、Ｐ-ＧＷは、ＰＣＲＦに対して、ベアラ設定応答信号＃１を送信する。
【００４２】
ステップＳ１００１Ｂにおいて、Ｐ-ＣＳＣＦは、ＵＥに対して、ＳＩＰ信号＃１に対する応答信号を送信する。
【００４３】
その後、Ｐ-ＣＳＣＦは、ステップＳ２００１において、ＵＥからＳＤＰ-Ｂを含むセッション＃１に係るＳＩＰ信号＃２を受信すると、ステップＳ２００２において、かかるＳＩＰ信号＃２に含まれるＳＤＰ-Ｂが、管理部１２Ａによって管理されているセッション＃１に係るＳＩＰ信号＃１に含まれていたＳＤＰ-Ａと同じであるか否かについて判定する。
【００４４】
ここで、Ｐ-ＣＳＣＦは、両者が一致すると判定した場合、ＰＣＲＦに対して、ＳＤＰ-Ｂに対応するＱｏＳを含むＱｏＳ設定要求信号（例えば、「Ｄｉａｍｅｔｅｒ_ＡＡＲ」）を送信しない。
【００４５】
そして、ステップＳ２００１Ｂにおいて、Ｐ-ＣＳＣＦは、ＵＥに対して、ＳＩＰ信号＃２に対する応答信号を送信する。
【００４６】
本実施形態に係る移動通信システムによれば、Ｐ-ＣＳＣＦは、ＵＥから受信したセッション＃１に係るＳＩＰ信号＃２に含まれているＳＤＰ-Ｂが、管理部１２Ａによって管理されているセッション＃１に係るＳＩＰ信号＃１に含まれていたＳＤＰ-Ａと同じであると判定した場合には、ＰＣＲＦに対して、ＳＤＰ-Ｂに対応するＱｏＳを含むＱｏＳ設定要求信号（例えば、「Ｄｉａｍｅｔｅｒ_ＡＡＲ」）を送信しないように構成されている。
【００４７】
その結果、無駄なＱｏＳ設定要求信号（例えば「Ｄｉａｍｅｔｅｒ_ＡＡＲ」）の送信を回避し、その結果、ＰＣＲＦやＰ-ＧＷやＳ-ＧＷやＭＭＥやｅＮＢ等において無駄なベアラ設定処理を行うことを回避することができ、ＵＥ用のベアラを確立するまでの時間を短くすることができる。
【００４８】
以上に述べた本実施形態の特徴は、以下のように表現されていてもよい。
【００４９】
本実施形態の第１の特徴は、移動通信方法であって、Ｐ-ＣＳＣＦ（呼セッション制御サーバ装置）が、ＳＩＰ信号＃１（第１セッション開始プロトコル信号）を受信した場合、ＰＣＲＦ（ポリシー及び課金ルールサーバ装置）に対して、ＳＩＰ信号＃１に含まれるＳＤＰ-Ａ（メディアに関する情報）に対応するＱｏＳ（サービス品質情報）を通知する工程と、ＰＣＲＦが、かかるＱｏＳに基づいて、ＥＰＣ（コアネットワーク）に対して、ベアラ設定指示信号＃１を送信する工程と、Ｐ-ＣＳＣＦが、ＳＩＰ信号＃２（第２セッション開始プロトコル信号）を受信した場合で、かつ、ＳＩＰ信号＃１に含まれるＳＰＤ-Ａ及びＳＩＰ信号＃２に含まれるＳＤＰ-Ｂ（メディアに関する情報）が同一である場合、ＰＣＲＦに対して、ＳＤＰ-Ｂに対応するＱｏＳを通知しない工程とを有することを要旨とする。
【００５０】
本実施形態の第２の特徴は、Ｐ-ＣＳＣＦであって、ＳＩＰ信号＃１が受信された場合、ＰＣＲＦに対して、ＳＩＰ信号＃１に含まれるＳＤＰ-Ａに対応するＱｏＳを通知するように構成されている送信部１３を具備しており、ＳＩＰ信号＃２が受信された場合で、かつ、ＳＩＰ信号＃１に含まれるＳＤＰ-Ａ及びＳＩＰ信号＃２に含まれるＳＤＰ-Ｂが同一である場合、送信部１３は、ＰＣＲＦに対して、ＳＤＰ-Ｂに対応するＱｏＳを通知しないように構成されていることを要旨とする。
【００５１】
本実施形態の第１及び第２の特徴において、ＳＤＰ-Ａ及びＳＤＰ-Ｂはは、コーデック情報と、ビットレート情報と、発側アドレス情報と、着側アドレス情報とを含んでもよい。
【００５２】
なお、上述のＵＥやｅＮＢやＭＭＥやＳ-ＧＷやＰ-ＧＷやＰＣＲＦやＨＳＳ等の動作は、ハードウェアによって実施されてもよいし、プロセッサによって実行されるソフトウェアモジュールによって実施されてもよいし、両者の組み合わせによって実施されてもよい。
【００５３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥやｅＮＢやＭＭＥやＳ-ＧＷやＰ-ＧＷやＰＣＲＦやＨＳＳ等内に設けられていてもよい。また、かかる記憶媒体及びプロセッサは、ディスクリートコンポーネントとしてＵＥやｅＮＢやＭＭＥやＳ-ＧＷやＰ-ＧＷやＰＣＲＦやＨＳＳ等内に設けられていてもよい。
【００５５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５６】
ＵＥ…移動局
ｅＮＢ…無線基地局
ＭＭＥ…移動管理ノード
Ｓ-ＧＷ…サービングゲートウェイ装置
Ｐ-ＧＷ…パケットデータネットワークゲートウェイ装置
ＰＣＲＦ…ポリシー及び課金ルールサーバ装置
Ｐ-ＣＳＣＦ…第１呼セッション制御サーバ装置
１１…受信部
１２…判定部
１２Ａ…管理部
１３…送信部
【図１】
0005740229.tif 000002
【図２】
0005740229.tif 000003
【図３】
0005740229.tif 000004
【図４】
0005740229.tif 000005